(57)【特許請求の範囲】
【請求項１】
空気調和機の所定部分に装着されて複数のベーンの回転角度を夫々制御する制御信号を出力する制御部と、
前記空気調和機の各ベーン間に装着されて、前記制御信号によって前記各ベーンを夫々独立的に回転させるベーン回転駆動部と、を包含して構成された天井付け型の空気調和機の制御装置であって、
前記ベーンは四つであり、平面視において前記空気調和機の左側、上方側、右側、及び、下方側に装着され、
前記制御信号により、前記ベーン回転駆動部は、四つのベーンのうちの一つ又は二つのベーンを室内天井の暖房のための角度とすると共にその他のベーンを室内底面の暖房のための角度とし、所定時間が経過する毎に、室内天井の暖房のための前記角度とする前記ベーンを順次切り換えることを特徴とする空気調和機のベーン制御装置。
【請求項２】
空気調和機の所定部分に装着されて複数のベーンの回転角度を夫々制御する制御信号を出力する制御部と、
前記空気調和機の各ベーン間に装着されて、前記制御信号によって前記各ベーンを夫々独立的に回転させるベーン回転駆動部と、を包含して構成された天井付け型の空気調和機の制御装置であって、
前記ベーンは四つであり、平面視において前記空気調和機の左側、上方側、右側、及び、下方側に装着され、
前記制御信号により、前記ベーン回転駆動部は、四つのベーンのうちの一つ又は二つのベーンを室内底面の冷房のための角度とすると共にその他のベーンを室内天井の冷房のための角度とし、所定時間が経過する毎に、室内底面の冷房のための前記角度とする前記ベーンを順次切り換えることを特徴とする空気調和機のベーン制御装置。
【請求項３】
前記ベーン回転駆動部は、
前記制御信号によって回転する各ステッピングモータと、
それらステッピングモータと前記各ベーン間に連結されて前記各ステッピングモータの回転を前記各ベーンに伝達する各回転軸と、を包含して構成されることを特徴とする請求項１又は２に記載の空気調和機のベーン制御装置。
【請求項４】
空気調和機の所定部分に装着されて複数のベーンの回転角度を夫々制御する制御信号を出力する制御部と、
前記空気調和機の各ベーン間に装着されて、前記制御信号によって前記各ベーンを夫々独立的に回転させるベーン回転駆動部と、を包含して構成された天井付け型の前記空気調和機の制御方法であって、
前記ベーンは四つであり、平面視において前記空気調和機の左側、上方側、右側、及び、下方側に装着され、
前記ベーン回転駆動部により、四つのベーンのうちの一つ又は二つのベーンを室内天井の暖房のための角度とすると共にその他のベーンを室内底面の暖房のための角度とし、所定時間が経過する毎に、室内天井の暖房のための前記角度とする前記ベーンを順次切り換えることを特徴とする空気調和機のベーン制御方法。
【請求項５】
空気調和機の所定部分に装着されて複数のベーンの回転角度を夫々制御する制御信号を出力する制御部と、
前記空気調和機の各ベーン間に装着されて、前記制御信号によって前記各ベーンを夫々独立的に回転させるベーン回転駆動部と、を包含して構成された天井付け型の前記空気調和機の制御方法であって、
前記ベーンは四つであり、平面視において前記空気調和機の左側、上方側、右側、及び、下方側に装着され、
前記ベーン回転駆動部により、四つのベーンのうちの一つ又は二つのベーンを室内底面の冷房のための角度とすると共にその他のベーンを室内天井の冷房のための角度とし、所定時間が経過する毎に、室内底面の冷房のための前記角度とする前記ベーンを順次切り換えることを特徴とする空気調和機のベーン制御方法。
【発明の詳細な説明】
【０００１】
【発明の属する技術分野】
本発明は、空気調和機のベーンに係るもので、詳しくは、空気調和機のベーンを制御し得る空気調和機のベーン制御装置及びその制御方法に関するものである。
【０００２】
【従来の技術】
一般に、空気調和機は、スタンド型、壁掛け及び天井付け型に夫々分類されて、空気調和機のベーンによって風向を調節することで室内の温度を調節する。
且つ、上記天井付け型空気調和機は、室内の天井に装着されて、使用者により設定された設定温度によって室内温度を制御するが、この時、上記天井付け型空気調和機の側面に装着されたベーンの開放／閉鎖動作に従って風向が調節されることで、室内温度が制御される。
【０００３】
又、空気調和機の従来の冷凍サイクル装置においては、図５に示したように、冷媒を圧縮して高温高圧状態に変換させる圧縮機３と、該圧縮機３から圧縮された高温高圧状態の冷媒の熱を放熱する凝縮器２と、該凝縮器２から吐出される冷媒を減圧させる膨脹バルブ１と、該膨脹バルブ１から減圧された冷媒の供給を受けて冷気を発生する蒸発器４と、を包含して構成され、前記凝縮器２及び蒸発器４は、外部と熱交換をすることで、″熱交換器″と称されている。
又、上記冷凍サイクル装置は、上記凝縮器２から放出させる熱と、蒸発器４で形成される冷気を利用して食品を新鮮に保管する冷蔵庫、ショーケース及び室内を外気（外部の空気）の温度状況に従って快適な状態に維持させる前記空気調和機等に適用されている。
【０００４】
そして、従来の天井付け型空気調和機のベーン制御装置においては、図６に示したように、一つのステッピングモータ２５と、前記ステッピングモータの回動を伝達するギヤー列２６と、前記伝達された回転によって屈折されて四つのベーン２１〜２４を同時に開放／閉鎖させるユニバーサルカップリング２７と、を包含して構成され、上記ユニバーサルカップリングにより上記各ベーンが開放／閉鎖されることで、空気調和機から吐出される冷気（冷たい空気）又は暖気（暖かい空気）によって室内温度が調和される。
【０００５】
【発明が解決しようとする課題】
然るに、このような従来の天井付け型空気調和機のベーン制御装置においては、一つのステッピングモータにより四つのベーンが同時に開放／閉鎖されるために、前記各ベーンの回転角度が全て同様で風向が室内の底面に向かうようになっているために、暖房気流（冷気）が前記底面まで均一に到達することができないという不都合な点があった。
即ち、上記従来の天井付け型空気調和機のベーン制御装置においては、上記一つのステッピングモータにより四つのベーンを同時に開放／閉鎖するために、それらベーンの回転角度が全て同様であるために、室内の全体底面の温度を均一に調和させることができないという不都合な点があった。
【０００６】
本発明は、このような従来の課題に鑑みてなされたもので、空気調和機の各ベーンの角度（開度）を夫々独立的に制御して暖房気流（冷気）を迅速に所望の方向に伝達し得る空気調和機のベーン制御装置及びその制御方法を提供することを目的とする。
又、空気調和機の各ベーンの回転角度（開度）を夫々独立的に制御して、室内空間の上下側及び左右側の温度差を減らして快適な温度環境及び均一な温度環境を使用者に提供し得る空気調和機のベーン制御装置及びその制御方法を提供することを目的とする。
【０００７】
【課題を解決するための手段】
このような目的を達成するため、本発明に係る空気調和機のベーン制御装置においては、空気調和機の所定部分に装着された複数のベーンの回転角度を夫々個別的に制御するための制御信号を出力する制御部と、前記各ベーン間に装着されて前記制御信号により前記各ベーンを夫々独立的に回転させるベーン回転駆動部と、を包含して構成されている。
【０００８】
又、上記本発明の目的を達成するため、本発明に係る空気調和機のベーン制御方法においては、所定時間又は所定温度が経過するとき、制御信号を発生する段階と、前記制御信号により空気調和機の所定部分に夫々装着された各ベーンの回転角度を夫々独立的に調節する段階と、を順次行うことを特徴とする。
【０００９】
【発明の実施の形態】
以下、本発明の実施の形態に対し、図面に基づいて説明する。即ち、本発明は、空気調和機の所定部位に装着された複数のベーンの回転角度を夫々独立的に制御して暖房気流（冷気又は暖気）を迅速に所望の方向に伝達することで、室内空間の上下及び左右側温度差を減らして均一で快適な温度環境を使用者に提供し得る空気調和機のベーン制御装置及びその制御方法であって、図１乃至図４に基づいて説明する。
【００１０】
先ず、本発明に係る空気調和機のベーン制御装置においては、図１に示したように、所定時間又は所定温度毎に、空気調和機の各ベーン３５〜３８の回転角度（開度）を夫々制御するための制御信号を出力するベーン制御部（未図示）と、前記各ベーン３５〜３８間に夫々装着されて前記制御信号によって各ベーン３５〜３８を夫々独立的に回転させる第１乃至第４ベーン回転駆動部３１〜３４と、から構成され、それら第１乃至第４ベーン回転駆動部３１〜３４は、上記制御信号によって回転する第１乃至第４ステッピングモータ３１Ａ〜３４Ａと、それら第１乃至第４ステッピングモータ３１Ａ〜３４Ａと前記各ベーン３５〜３８間に夫々連結されて前記第１乃至第４ステッピングモータ３１Ａ〜３４Ａの回転を前記各ベーン３５〜３８に伝達する各回転軸３９Ａ〜３９Ｄと、を包含して構成されている。又、上記各ベーン３５〜３８は、上記空気調和機のパネルの縁部に順次装着されるが、例えば、左側に装着される第１ベーン３５と、上方側に装着される第２ベーン３６と、右側に装着される第３ベーン３７と、下方側に装着される第４ベーン３８と、から構成することができる。
【００１１】
以下、このように構成された上記本発明に係る空気調和機のベーン制御装置の動作及びその制御方法に対して、説明する。
先ず、上記ベーン制御部（未図示）は、所定時間又は所定温度毎に、空気調和機の各ベーン３５〜３８の回転角度（開度）を夫々独立的に制御するための制御信号を上記第１乃至第４ベーン回転駆動部３１〜３４に出力する。
【００１２】
次いで、上記第１乃至第４ベーン回転駆動部３１〜３４は、上記制御信号によって前記各ベーン３５〜３８を夫々独立的に回転させて、上記第１乃至第４ベーン回転駆動部３１〜３４内の第１乃至第４ステッピングモータ３１Ａ〜３４Ａが回転することで前記各ステッピングモータ３１Ａ〜３４Ａと前記各ベーン３５〜３８間に連結された各回転軸３９Ａ〜３９Ｄが回転しながら前記各ベーン３５〜３８の回転角度（開度）を夫々独立的に制御するか又は使用者の所望角度に次のように制御する。
【００１３】
即ち、前記ベーン制御装置は、図２に示したように、空気調和機のモードが暖房又は冷房モードであるかを判断する段階と、該判断の結果前記空気調和機のモードが暖房モードである時に快適暖房ボタン（未図示）のオン（Ｏｎ）／オフ（Ｏｆｆ）動作状態を判断する段階と、前記快適暖房ボタンがオン（Ｏｎ）状態であると、第１乃至第４ベーンの回転角度を夫々独立的に制御する段階と、を順次行うことを特徴とする。
【００１４】
先ず、上記ベーン制御部は、上記空気調和機のモードが暖房モード又は冷房モードであるかを判断してＳ４１、前記空気調和機のモードが冷房モードであると、冷房制御動作を実施しＳ４３、上記空気調和機のモードが暖房モードであると、使用者が快適暖房ボタン（未図示）を押したのかを判断するため、上記快適暖房ボタンのオン／オフ状態を感知するＳ４２。
【００１５】
次いで、上記快適暖房ボタンがオフ（Ｏｆｆ）状態であると、上記第１乃至第４ベーン３５〜３８の回転角度を６０度に制御するための制御信号を上記第１乃至第４ベーン回転駆動部３１〜３４の第１乃至第４ステッピングモータ３１Ａ〜３４Ａに出力し、それら第１乃至第４ステッピングモータ３１Ａ〜３４Ａが回転することで、それら各ステッピングモータ３１Ａ〜３４Ａと前記各ベーン３５〜３８間に連結された各回転軸３９Ａ〜３９Ｄが回転しながら前記各ベーン３５〜３８の回転角度（開度）を６０度に調節するＳ４４。
反面、上記快適暖房ボタンがオン（Ｏｎ）状態であるときは、次のように、所定時間毎に上記第１乃至第４ステッピングモータ３１Ａ〜３４Ａを夫々独立的に制御して、上記第１乃至第４ベーン２１〜２４の回転角度を夫々独立的に制御するＳ４５〜Ｓ４８。
【００１６】
以下、所定時間毎に各ベーンの回転角度を制御する方法の第１実施形態に対し、図２及び図３に基づいて説明する。
先ず、上記ベーン制御部は、室内の温度環境を均一にさせるために、上記第１ベーン３５の回転角を３０度に回転させて、上記第２〜第４ベーン３６〜３８の回転角を６０度に回転させながら風向（暖気の方向）を調節するＳ４５。ここで、上記空気調和機のモードが冷房モードである場合には、冷気の方向を調節する。
【００１７】
次いで、上記ベーン制御部は、第１所定温度又は第１所定時間が経過すると、上記第２ベーン３６の回転角を３０度に回転させて、上記第１、第３及び第４ベーン３５、３７、３８の回転角を６０度に回転させるＳ４６。その後、上記ベーン制御部は、第２所定温度又は第２所定時間が経過すると、上記第３ベーン３７の回転角を３０度に回転させて、上記第１、第２及び第４ベーン３５、３６、３８を所定時間の間６０度に回転させるＳ４７。又、上記ベーン制御部は、第３所定温度又は第３所定時間が経過すると、上記第４ベーン３８を３０度に回転させて、上記第１乃至第３ベーン３５〜３７の回転角を６０度に夫々回転させるＳ４８。
この時、上記３０度は、室内の空気を上昇させるための角度であって、６０度は、底面を暖房するための角度である。
【００１８】
次いで、各回転軸３９Ａ〜３９Ｄによって上記第１乃至第４ステッピングモータ３１Ａ〜３４Ａの回転力の伝達を受けた上記第１乃至第４ベーン３５〜３８は、室内の均一な温度環境によって上記のような動作Ｓ４５〜Ｓ４８を反復する。即ち、上記空気調和機のモードが暖房モードである場合に、上記第１乃至第４ベーン３５〜３８は、室内空間の上下及び左右側の温度差を減らして快適な温度環境を使用者に提供する。
【００１９】
一方、上記空気調和機のモードが冷房モードである場合には、上記室内の均一な温度環境を作るために、上記第１乃至第４ベーン３５〜３８の開度を小さくして、風向（暖気の方向）を調節する。この時、上記空気調和機のモードが冷房モードである場合には、冷気の方向を調節し、上記第１ベーン３５の回転角を６０度に回転させて、上記第２乃至第４ベーン３６〜３８の回転角を３０度に回転させる。又、上記第２所定温度及び第２所定時間が経過すると、上記第２ベーン３６の回転角を６０度に回転させて、上記第１、第３及び第４ベーン３５、３７、３８の回転角を３０度に回転させる。又、上記第３所定温度又は第３所定時間が経過すると、上記第４ベーン３８の回転角を６０度に回転させて、上記第１乃至第３ベーン３５〜３７の回転角を３０度に回転させる。
【００２０】
又、各ベーンの回転角度を制御する方法の第２実施形態として、図４に示したように、上記第１乃至第４ベーン３５〜３８の回転角度を所定温度又は所定時間毎に相違するように制御することもできる。
即ち、上記ベーン制御部は、上記空気調和機のモードが暖房モードである場合に、室内空間の温度分布を均一にさせるため、上記第１及び第２ベーン３５、３６の回転角を３０度に回転させて、上記第３及び第４ベーン３７、３８の回転角を６０度に回転させながら暖気（冷房モードの場合には、冷気の方向を調節する）の方向を調節する。
【００２１】
次いで、上記ベーン制御部は、上記第１所定温度及び第１所定時間が経過すると、上記第２及び第３ベーン３６、３７の回転角を３０度に回転させて、上記第１ベーン及び第４ベーン３５、３８を６０度に回転させる。その後、上記ベーン制御部は、上記第２所定温度及び第２所定時間が経過すると、上記第３及び第４ベーン３７、３８の回転角を３０度に回転させて、上記第１及び第２ベーン３５、３６を前記所定の時間の間６０度に回転させる。その後、上記ベーン制御部は、上記第３所定温度及び第３所定時間が経過すると、上記第４及び第１ベーン３８、３５の回転角を３０度に回転させて、上記第２及び第３ベーン３６、３７を前記所定時間の間６０度に回転させる。
【００２２】
次いで、各回転軸３９Ａ〜３９Ｄによって上記第１乃至第４ステッピングモータ３１Ａ〜３４Ａの回転力の伝達を受けた上記第１乃至第４ベーン３５〜３８は、室内の均一な温度環境によって上記のような動作を反復する。即ち、上記空気調和機のモードが暖房モードである時、上記第１乃至第４ベーン３５〜３８は、室内空間の上下側及び左右側の温度差を減らして快適な温度環境を使用者に提供する。この時、前記第１〜第３所定時間は、室内の広さによって異なるが、１０分程度に設定することができる。
一方、上記空気調和機のモードが冷房モードである場合には、上記暖房モード時のベーン制御方法とは反対に動作が行われる。
【００２３】
【発明の効果】
以上説明したように、本発明に係る空気調和機のベーン制御装置及びその制御方法においては、空気調和機の各ベーンの回転角度を夫々独立的に制御することで、暖房気流（冷気又は暖気）を迅速に所望の方向に伝達し得るという効果がある。
【００２４】
又、本発明に係る空気調和機のベーン制御装置及びその制御方法においては、所定時間又は所定温度毎に、各ベーンの回転角度を夫々独立的に制御することで、室内空間の上下及び左右側の温度差を低減し得るという効果がある。
且つ、本発明に係る空気調和機のベーン制御装置及びその制御方法においては、室内空間の上下及び左右側の温度差を減らすことで、快適な温度環境及び均一な温度環境を使用者に提供し得るという効果がある。
【図面の簡単な説明】
【図１】本発明に係る空気調和機のベーン制御装置の構成を示した概略平面図である。
【図２】本発明に係る空気調和機のベーン制御方法を示したフローチャートである。
【図３】所定時間によって空気調和機の各ベーンの回転角度を制御する方法の第１実施形態を示したチャートである。
【図４】本発明に係る空気調和機の各ベーンの回転角度を制御する方法の第２実施形態に係る方法を示したチャートである。
【図５】従来の冷凍サイクル装置を示した概略構成図である。
【図６】従来の天井付け型空気調和機のベーンを制御する装置の構成を示した概略平面図である。
【符号の説明】
３１〜３４…第１〜第４ベーン回転駆動部
３１Ａ〜３４Ａ…第１〜第４ステッピングモータ
３５〜３８…第１〜第４ベーン
３９Ａ〜３９Ｄ…回転軸
【図１】
0004018412.tif 000002
【図２】
0004018412.tif 000003
【図３】
0004018412.tif 000004
【図４】
0004018412.tif 000005
【図５】
0004018412.tif 000006
【図６】
0004018412.tif 000007